(57)【要約】【課題】タブの先端の押し下げによるスコアの初期破断が比較的小さな力で行え、円滑な開口作業を行うことができる缶蓋を提供する。【解決手段】パネル２に形成した環状のスコア５の外側に沿って折り返した第１屈曲部１３と第２屈曲部１４とを設け、スコア５の内側に沿って折り返した第３屈曲部１５と第４屈曲部１６とを設ける。スコア５と第３屈曲部１５との間に、タブノーズ９に対向するタブ対向エリアＬを設け、タブ対向エリアの中央よりスコア５側を始点Ｆとし第３屈曲部を終点Ｒとして、タブノーズ９先端から次第に離反する傾斜部１７を設ける。スコア５を初期破断するとき、傾斜部１７によりタブノーズ９の先端以外の部分はタブ対向エリアＬに当接せず、タブノーズ９の先端のみがスコア５近傍に当接して破断力を集中させる。【選択図】図３
0003117389.tif 000002
【実用新案登録請求の範囲】
【請求項１】
外周に環状のチャックウォールが形成された円盤状のパネルと、該チャックウォールの内周に沿ってパネルに形成された環状のスコアと、パネル上にリベットを介して設けられ、該スコアを破断して該パネルを開口するタブとを備え、該タブの先端により前記スコアの一部の内周近傍を押圧して該スコアの初期破断が行われ、該タブを引き上げることにより該スコア全周にわたって破断してパネルに開口部が形成される金属製の缶蓋であって、前記チャックウォールとスコアとの間に沿って、パネルの裏面側に折り返して該パネルの外周方向に屈曲させた第１屈曲部と、該第１屈曲部に連続して該第１屈曲部と反対方向に屈曲させた第２屈曲部とが設けられ、前記スコアの内周側に沿って、パネルの裏面側に折り返して該スコアに向かう方向に屈曲させた第３屈曲部と、該第３屈曲部に連続して該第３屈曲部と反対方向に屈曲させた第４屈曲部とが設けられ、前記スコアと第３屈曲部との間に、タブの裏面側先端部に対向するタブ対向エリアが設けられたものにおいて、
パネルの全周にわたる前記スコアと第３屈曲部との間のうち、少なくとも前記タブ対向エリアに、該タブ対向エリアの中央よりスコア側の所定位置を始点とし第３屈曲部を終点として、タブ先端から次第に離反すべく傾斜する傾斜部を設けたことを特徴とする缶蓋。
【考案の詳細な説明】
【技術分野】
【０００１】
本考案は、スコアにより包囲されたパネルをタブ操作によってタブと共に切除して開口部を形成する缶蓋に関する。
【背景技術】
【０００２】
魚肉や惣菜等の固形或いは半固形の食料を収容する缶体の天蓋として用いられる缶蓋として、パネルに刻設されたスコアをタブ操作によって破断し、パネルの略全部を取り除いて開口することができる所謂イージーオープン式のフルオープン缶蓋が知られている（例えば、特開２００４−１６１３６０参照）。
【０００３】
この種の缶蓋は、図７に一部を断面視して示すように、チャックウォール２０によって包囲されたパネル２１を備え、パネル２１に形成されたリベット２２を介してパネル２１上にタブ２３が取り付けられている。チャックウォール２０の内方に沿ったパネル２１には環状のスコア２４が形成されており、スコア２４が破断されることによって、パネル２１のスコア２４に包囲された部分が取り除かれて開口される。スコア２４の一部である破断開始位置には、タブ２３の先端部２５が臨み、タブ２３の後端側に形成された把持部（図示せず）を引き起こすことによりタブ２３の先端部２５がスコア２４の内側近傍を押し下げてスコア２４の初期破断（一般にスコアブレイクと言われる）が行われる。このとき、破断開始位置に対してリベット２２の内方側には、補助スコア２６（ベントスコア）が所定範囲にわったて形成されており、初期破断時のタブ２３の引き上げに応じて補助スコア２６が引き裂かれるように破断されて破断開始位置のスコア２４の破断を進行させる。その後、タブ２３を更に引き上げることで、タブ２３と共に引き上げられるパネル２１がスコア２４を介して引き裂かれ（一般にスコアティアと言われる）、スコア２４全周が破断される。
【０００４】
このとき、この種の缶蓋においては、図７に示すように、チャックウォール２０とスコア２４との間に沿って、パネル２１の裏面側に折り返して該パネル２１の外周方向に屈曲させた第１屈曲部２７が形成され、該第１屈曲部２７に連続して該第１屈曲部２７と反対方向に屈曲させた第２屈曲部２８が形成されている。更に、スコア２４の内周側に沿って、パネル２１の裏面側に折り返して該スコア２４に向かう方向に屈曲させた第３屈曲部２９が形成され、該第３屈曲部２９に連続して該第３屈曲部２９と反対方向に屈曲させた第４屈曲部３０が形成されている。そして、スコア２４と第３屈曲部２９との間の平坦な部分に、タブ２３の先端部２５が当接される。このように、スコア２４近傍が第３屈曲部２９と第４屈曲部３０とによって補強されていることによって、タブ２３の先端部２５による押し下げ及びタブ２３による引き上げによるスコア２４の破断時（スコアティア時）には、スコア２４近傍のパネル２１の変形が抑制され、タブ２３から付与される破断力をスコア２４に対して効率よく作用させることができる。しかも、スコア２４を破断した後の破断端縁は第１屈曲部２７の下方に位置することにより、破断端縁への外部からの接触を極力抑えることができる。
【０００５】
しかし、この種の缶蓋においては、前述のようにスコアティア時には、前記各屈曲部２７，２８，２９，３０によってパネル２１の変形が抑制されて円滑な破断が行える半面、開口時に、パネル２１のスコア２４と第３屈曲部２９との間の上面略全域に、タブ２３の先端部２５の裏面が当接することから、タブ２３によるスコア２４の初期破断時（スコアブレイク時）には、面同士の破断力伝達の影響で破断力が分散して比較的大きな力が必要となり、初期の開口操作が円滑に行えない不都合がある。
【考案の開示】
【考案が解決しようとする課題】
【０００６】
かかる不都合を解消して、本考案は、タブの先端の押し下げによるスコアの初期破断が比較的小さな力で行え、円滑な開口作業を行うことができる缶蓋を提供することを目的とする。
【課題を解決するための手段】
【０００７】
かかる目的を達成するために、本考案は、外周に環状のチャックウォールが形成された円盤状のパネルと、該チャックウォールの内周に沿ってパネルに形成された環状のスコアと、パネル上にリベットを介して設けられ、該スコアを破断して該パネルを開口するタブとを備え、該タブの先端により前記スコアの一部の内周近傍を押圧して該スコアの初期破断が行われ、該タブを引き上げることにより該スコア全周にわたって破断してパネルに開口部が形成される金属製の缶蓋であって、前記チャックウォールとスコアとの間に沿って、パネルの裏面側に折り返して該パネルの外周方向に屈曲させた第１屈曲部と、該第１屈曲部に連続して該第１屈曲部と反対方向に屈曲させた第２屈曲部とが設けられ、前記スコアの内周側に沿って、パネルの裏面側に折り返して該スコアに向かう方向に屈曲させた第３屈曲部と、該第３屈曲部に連続して該第３屈曲部と反対方向に屈曲させた第４屈曲部とが設けられ、前記スコアと第３屈曲部との間に、タブの裏面側先端部に対向するタブ対向エリアが設けられたものにおいて、パネルの全周にわたる前記スコアと第３屈曲部との間のうち、少なくとも前記タブ対向エリアに、該タブ対向エリアの中央よりスコア側の所定位置を始点とし第３屈曲部を終点として、タブ先端から次第に離反する方向に傾斜する傾斜部を設けたことを特徴とする。
【０００８】
本考案によれば、スコアと第３屈曲部との間に設けられる前記タブ対向エリアのうち、該タブ対向エリアの中央よりスコア側の所定位置を始点とし第３屈曲部を終点とする傾斜部を設けたことにより、初期破断時にタブの先端のみがタブ対向エリアに当接し、タブから付与されるスコアの破断力をスコア近傍に集中させることができるので、比較的小さな力で初期破断（スコアブレイク）を行うことができる。これにより、各屈曲部によるパネルの変形を抑制してスコアティア時の円滑な破断操作が得られるものとしながら、初期破断（スコアブレイク）を比較的小さな力で行うことができ、スコア全周にわたる円滑な開口操作を行うことができる。
【考案を実施するための最良の形態】
【０００９】
本考案の一実施形態を図面に基づいて説明する。図１は本実施形態の缶蓋の平面図、図２は図１のII−II線断面図、図３は要部を拡大して示す説明的断面図、図４は傾斜部の成形工程を示す説明図、図５及び図６は缶蓋の開口動作を示す説明図である。
【００１０】
本実施形態の缶蓋１は、図１に示すように、円盤状の金属板により形成されている。缶蓋１は図示しない缶胴上部を閉塞するパネル２を備え、パネル２の外周縁部には、缶胴上縁に巻き締めるカール部３が形成されている。該カール部３は、図２に示すように、パネル２周縁から起立して該パネル２を包囲するチャックウォール４を備えている。
【００１１】
図１に示すように、パネル２には、チャックウォール４から所定距離を存して環状のスコア５が形成されている。パネル２において、スコア５に包囲された内側面は、パネル開口片２ａとして切除され、スコア５の外側周縁部はパネル枠２ｂとして図示しない缶胴に残留するようになっている。
【００１２】
パネル開口片２ａには、リベット６を介してタブ７が取り付けられている。リベット６は、図２に示すように、パネル開口片２ａの周縁部の一部寄りに突出して形成されている。タブ７には、リベット６が挿通されるリベット穴８（図３参照）が形成されており、タブ７のリベット穴８に挿通されたリベット６をかしめることによりタブ７が強固に連結される。
【００１３】
タブ７は、図１及び２に示すように、リベット６を介してスコア５側に延びるタブノーズ９とリベット６を介してパネル２の中央部側に位置するリング部１０とを備えている。タブノーズ９はスコア５の近傍に臨んでおり、リング部１０は手指等によって把持可能とされている。また、リベット６のパネル開口片２ａの内方側における近傍には、補助スコア１１が形成されている。
【００１４】
また、図２及び図３に示すように、チャックウォール４とスコア５との間、即ちパネル枠２ｂには、その全周に、第１屈曲部１３と第２屈曲部１４とが形成されている。また、スコア５の内周側に沿って、その全周に、第３屈曲部１５と第４屈曲部１６とが形成されている。更に詳しくは、図３に示すように、第１屈曲部１３は、パネル２の裏面側に折り返す方向であって該パネル２の外周方向に屈曲しており、第２屈曲部１４は、第１屈曲部１３に連続して該第１屈曲部１３と反対方向に屈曲して形成されている。また、第３屈曲部１５は、パネル２の裏面側に折り返す方向であって該スコア５に向かう方向に屈曲しており、第４屈曲部１６は、第３屈曲部１５に連続して該第３屈曲部１５と反対方向に屈曲して形成されている。これによって、スコア５は第２屈曲部１４と第３屈曲部１５との間に位置している。
【００１５】
また、図３に示すように、スコア５と第３屈曲部１５との間には、タブノーズ９の裏面側に対向するタブ対向エリアＬが設けられ、本実施形態におけるタブ対向エリアＬには、傾斜部１７が形成されている。傾斜部１７は、図３に示すように、タブ対向エリアＬの中央（図３において一点鎖線Ｓにより示す）よりもタブノーズ９の先端に近接する位置が始点Ｆとされ、第３屈曲部１５側が終点Ｒとされて、始点Ｆから終点Ｒにかけて、タブノーズ９から次第に離反する方向に傾斜している。なお、傾斜部１７は、例えば、図４に示すように、各屈曲部１３，１４，１５，１６を形成した後に、タブ７の取り付けに先立って、タブ対向エリアＬ（図３参照）となるスコア５と第３屈曲部１５との間の一部を押圧ピン１８によって押圧して傾斜状に変形させることにより容易に形成することができる。また、傾斜部１７は、図示しないが、タブ対向エリアＬだけでなく、タブ対向エリアＬを含むスコア５と第３屈曲部１５との間の周方向の所定距離にわたって、或いはタブ対向エリアＬを含む全周にわたって設けてもよい。
【００１６】
以上のように構成された本実施形態の缶蓋１は、次のようにして開口される。先ず、タブ７のリング部１０を把持してリベット６の方向に起こすと、図５に示すように、タブノーズ９の先端がスコア５に最も近接した位置に当接し、この当接部分を支点としてリベット６が持ち上げられて補助スコア１１が破断される。補助スコア１１が破断されたことによって、タブ７はリベット６部分を介して容易に揺動できるようになる。
【００１７】
続いて更にタブ７のリング部１０を起こすと、図６に示すように、リベット６部分を支点としてタブノーズ９の先端がスコア５近傍を押し下げてスコア５を破断する（初期破断）。このとき、スコア５に最も近接した位置にタブノーズ９の先端のみが当接し、傾斜部１７によってタブノーズ９の先端以外の部分が当接されない。そして、スコア５が破断されるまでこの状態が維持されるので、従来のタブノーズ９の裏面がタブ対向エリアＬの上面略全域に当接する場合のように面と面との当接に比べて破断力が分散することなく、スコア５に最も近接した位置にタブノーズ９の先端からの破断力を集中させることができるので、比較的小さな力で初期破断が行われる。これによって、確実且つ円滑に初期破断を行うことができる。
【００１８】
続いての作動は図示しないが図１を参照して説明すれば、タブ７のリング部１０に指を掛けてタブ７全体を上方に引き上げると、タブ７と共にパネル開口片２ａが引き上げられる。これにより、初期破断が行われたスコア５から全周にわたってスコア５の破断が進行し、タブ７と共にパネル開口片２ａが取り除かれて、パネル枠２ｂの内周側に開口部が形成される。このとき、各屈曲部１３，１４，１５，１６によってスコア５の両側に沿った全周が補強されてパネル開口片２ａの歪みが適度に抑制されているので、タブ７の引き上げに伴う破断力を確実にスコア５に付与することができ、少ない力で容易に開口することができる。更に、開口部が形成されたときにパネル枠２ｂの内周に形成されたスコア５の破断端縁の上方には第１屈曲部１３が位置していることにより、スコア５の破断端縁への外部からの接触を極力抑えることができる。
【図面の簡単な説明】
【００１９】
【図１】本考案の一実施形態の缶蓋の平面図。
【図２】図１のII−II線断面図。
【図３】要部を拡大して示す説明的断面図。
【図４】傾斜部の成形工程を示す説明図。
【図５】缶蓋の開口動作を示す説明図。
【図６】図５に続く缶蓋の開口動作を示す説明図。
【図７】従来の缶蓋の要部の断面説明図。
【符号の説明】
【００２０】
１…缶蓋、２…パネル、４…チャックウォール、５…スコア、６…リベット、７…タブ、１３…第１屈曲部、１４…第２屈曲部、１５…第３屈曲部、１６…第４屈曲部、１７…傾斜部、Ｌ…タブ対向エリア、Ｆ…始点、Ｒ…終点。
【図１】
0003117389.tif 000003
【図２】
0003117389.tif 000004
【図３】
0003117389.tif 000005
【図４】
0003117389.tif 000006
【図５】
0003117389.tif 000007
【図６】
0003117389.tif 000008
【図７】
0003117389.tif 000009